【手続補正書】
【提出日】平成19年4月23日(2007.4.23)
【手続補正１】
【補正対象書類名】特許請求の範囲
【補正対象項目名】全文
【補正方法】変更
【補正の内容】
【特許請求の範囲】
【請求項１】
入力データに基づいて、処理シートに点字を打刻する点字打刻手段と、
前記点字が打刻される点字打刻領域を、前記処理シート上の所望の位置に設定する打刻領域設定手段と、
前記打刻領域設定手段による設定結果に基づいて、前記点字打刻手段を制御する制御手段と、を備えたことを特徴とするシート処理装置。
【請求項２】
前記打刻領域設定手段は、前記点字打刻領域の位置を、複数の選択肢から選択設定するように構成されていることを特徴とする請求項1に記載のシート処理装置。
【請求項３】
前記複数の選択肢には、点字の読み方向を基準とする上、下、前、後および中央のうちの２以上の選択肢が含まれていることを特徴とする請求項２に記載のシート処理装置。
【請求項４】
前記入力データに基づいて、前記処理シートに墨字を印刷する墨字印刷手段と、
前記墨字が印刷される墨字印刷領域を、前記処理シート上の所望の位置に設定する墨字領域設定手段と、をさらに備え、
前記制御手段は、前記墨字領域設定手段による設定結果に基づいて、前記墨字印刷手段を制御することを特徴とする請求項１ないし３のいずれかに記載のシート処理装置。
【請求項５】
前記墨字印刷手段を用いて、前記処理シートに、前記点字打刻領域の位置を指標する指標印刷を行うか否かを設定する指標印刷設定手段と、をさらに備え、
前記印刷制御手段は、前記指標印刷設定手段による設定結果に基づいて、前記墨字印刷手段を制御することを特徴とする請求項４に記載のシート処理装置。
【請求項６】
前記指標印刷には、前記処理シートに打刻される点字を修飾するものが含まれることを特徴とする請求項５に記載のシート処理装置。
【請求項７】
前記指標印刷には、前記点字打刻領域を示すコメント印刷が含まれることを特徴とする請求項５または６に記載のシート処理装置。
【手続補正２】
【補正対象書類名】明細書
【補正対象項目名】０００５
【補正方法】変更
【補正の内容】
【０００５】
本発明のシート処理装置は、入力データに基づいて、処理シートに点字を打刻する点字打刻手段と、前記点字が打刻される点字打刻領域を、前記処理シート上の所望の位置に設定する打刻領域設定手段と、打刻領域設定手段による設定結果に基づいて、点字打刻手段を制御する制御手段と、を備えたことを特徴とする。
【手続補正３】
【補正対象書類名】明細書
【補正対象項目名】０００６
【補正方法】変更
【補正の内容】
【０００６】
この構成によれば、本願発明のシート処理装置は、打刻領域設定手段を備えているため、処理シート上に点字打刻領域の位置を任意に設定することができ、処理シートの所望の位置に点字を形成することが可能である。したがって、処理シートの大きさや、（点字を打刻した）処理シートの作成目的、使用場所、点字の表示内容等を考慮し、視覚障害者が点字に触れやすいように、ユーザは、処理シートにおける点字打刻領域を設定することができる。なお、ここにいう点字打刻領域とは、点字の打刻開始位置から打刻終了位置までの領域を指しており、打刻領域設定手段で点字打刻領域の位置を設定することにより、点字の打刻開始位置および打刻終了位置、すなわち、処理シートに打刻する全ての点字打刻位置が規定されるようになっている。
【手続補正４】
【補正対象書類名】明細書
【補正対象項目名】０００７
【補正方法】変更
【補正の内容】
【０００７】
この場合、打刻領域設定手段は、点字打刻領域の位置を、複数の選択肢から選択設定するように構成されていることが好ましい。
【手続補正５】
【補正対象書類名】明細書
【補正対象項目名】０００９
【補正方法】変更
【補正の内容】
【０００９】
この場合、複数の選択肢には、点字の読み方向を基準とする上、下、前、後および中央のうちの２以上の選択肢が含まれていることが、好ましい。
例えば、複数の選択肢には、点字打刻領域の先端を処理シートの送り方向先端に寄せる前寄せと、点字打刻領域の中間位置を処理シートの送り方向中間位置に一致させる中寄せと、点字打刻領域の尾端を処理シートの送り方向尾端に寄せる後寄せと、が規定されていることが好ましい。
【手続補正６】
【補正対象書類名】明細書
【補正対象項目名】００１０
【補正方法】変更
【補正の内容】
【００１０】
この構成によれば、点字打刻領域の「前寄せ」、「中寄せ」、および「後寄せ」を容易に設定することができる。これらは、点字打刻領域の位置を設定するときに、もっとも頻繁に用いられる設定位置であるため、これらの設定を容易にすることにより、ユーザの操作性を高めることができる。
【手続補正７】
【補正対象書類名】明細書
【補正対象項目名】００１３
【補正方法】変更
【補正の内容】
【００１３】
この場合、入力データに基づいて、処理シートに墨字を印刷する墨字印刷手段と、墨字印刷のための墨字印刷領域を、処理シート上の所望の位置に設定する墨字領域設定手段と、をさらに備え、制御手段は、墨字領域設定手段による設定結果に基づいて、墨字印刷手段を制御することが好ましい。
【手続補正８】
【補正対象書類名】明細書
【補正対象項目名】００１７
【補正方法】変更
【補正の内容】
【００１７】
この場合、指標印刷には、処理シートに打刻される点字を修飾するものが含まれることが好ましい。また、この場合、指標印刷には、点字打刻領域を示すコメント印刷が含まれることが好ましい。
【手続補正９】
【補正対象書類名】明細書
【補正対象項目名】００１９
【補正方法】変更
【補正の内容】
【００１９】
以下、添付の図面を参照して、本発明のテープ処理装置を適用したラベル作成装置について説明する。このラベル作成装置は、処理テープ（処理シート）に墨字印刷および点字打刻を実行可能に構成されており、晴眼者および視覚障害者の両方が認識可能な点字ラベルを作成するものである。
【手続補正１０】
【補正対象書類名】明細書
【補正対象項目名】００２０
【補正方法】変更
【補正の内容】
【００２０】
図１および図２は、ラベル作成装置の外観斜視図であり、図１は、開閉蓋の閉蓋時、図２は、開閉蓋の開放時を示している。両図に示すように、ラベル作成装置１は、前部ケース３と、前部ケース３の後方に位置する後部ケース４と、を一体形成した装置ケース２により外郭が構成されている。
【手続補正１１】
【補正対象書類名】明細書
【補正対象項目名】００８８
【補正方法】変更
【補正の内容】
【００８８】
本実施形態のラベル作成装置１を用いたラベルの作成方法も第１実施形態と略同様であり、メニューからの選択により各種設定項目を設定する。但し、このラベル作成装置１では、点字打刻装置１２に対する処理テープＴの手差し位置によって、テープ幅方向における点字打刻位置（点字打刻領域の位置）が決定されるため、点字の割付設定をするメニュー項目の中に、テープ幅方向における点字の割付け位置を設定するものは含まれていない。具体的には、第１実施形態の「フォーム」に相当するメニュー項目は設けられておらず、処理テープＴに対する墨字（墨字印刷領域）および点字（点字打刻領域）の割付位置は、個別に設けられたメニューを用いて個別に設定するようになっている。そして、墨字の割付位置は、第１実施形態と同様に、テープ送り方向およびテープ幅方向の両方について設定できるようになっているが、点字の割付位置は、「前寄せ」、「中寄せ」、「後寄せ」・・・のように、処理テープＴの送り方向に対してのみ設定を行うようになっている。